(57)【特許請求の範囲】
【請求項１】
布地にプリーツを形成してなるプリーツスカートにおいて、着用者に対して前後面に当たるプリーツの表ヒダの幅よりも脇面に当たるプリーツの表ヒダの幅を広くし、ウエストにおいて各プリーツを均等縫いしたことを特徴とするプリーツスカート。
【請求項２】
前身、後身又は脇身等の布地にプリーツを形成するプリーツスカート型紙において、着用者に対して前後面に当たる布地の型紙におけるプリーツの表ヒダの幅よりも脇面に当たる布地の型紙におけるプリーツの表ヒダの幅を広くしたことを特徴とするプリーツスカート型紙。
【発明の詳細な説明】
【０００１】
【発明の属する技術分野】
本発明は、例えば女子生徒又は学生が着用する制服用スカートに代表されるプリーツスカート、及びこのプリーツスカートを作る布地を裁断するためのプリーツスカート型紙(以下、型紙と略する)に関する。
【０００２】
【従来の技術】
プリーツスカートには、ボックスプリーツ(前身と脇身、場合によっては後身と脇身との間にのみプリーツを設けたもの)、アコーディオンプリーツ(通常追ヒダと呼ばれる、全てのプリーツが一方向に向いたもの)、ナイフプリーツ(前身又は後身の中央から両方向に向けてプリーツを設けたもの)等がある。従来、手縫いの高級品を除き、図７に見られるように、直線のプリーツ３が等幅で平行又は裾広幅なプリーツスカート(アコーディオンプリーツの例)が一般的であった。プリーツ３が直線であるため、布地をそれぞれ所定形状の型紙に挾み、かげヒダで折りたたんだ状態で永久プリーツ加工するという簡単な手順でプリーツスカートの前身又は後身を成形することができ、大量生産が可能になるのである。このため、当然に型紙には直線かつ平行又は裾広幅の折り目が設けられていた。
【０００３】
【発明が解決しようとする課題】
上記プリーツスカートは、生産性を第一に考慮したものであるが、着用時にウエストからヒップに至る途中、腰骨付近11における前後のプリーツ３が立ち(図７参照、プリーツ３の表ヒダが開いて山折部分が半径方向に向く)、見映えを悪くしていた。これは、ウエストが略真円形状であるとの仮定のもとに、ヒップ寸法を表ヒダの数で均等割りにて算出した等幅のプリーツ３を、ヒップ寸法とウエスト寸法との差分だけ絞り込んだ状態で均等縫いしていたため、プリーツ３が描くウエスト−ヒップ・ラインが、すべて同様の円弧状であったことに起因する。
【０００４】
ところが、人の外形は３次元的に複雑な立体形状をしている。ウエスト12(図８中周囲破線のハッチング部)、ヒップ13(図８中周囲実線のハッチング部)それぞれを水平断面で比較した場合、ウエスト12は腰骨よリ脇面が前方に張り出した扁平な略楕円断面を持ち、ヒップ13はウエスト12より一回り大きく、かつ後方へ若干盛り上がった略楕円断面を有し、プリーツ３が沿うべきウエスト−ヒップ・ラインは、着用者の前後面と脇面とでは異なるのである。プリーツが多ければ、それぞれのプリーツがウエスト−ヒップ・ラインに沿って湾曲するので問題はないが、例えば現在多く市販されている16車のプリーツスカートでは、腰骨に当たるウエスト12の脇面の曲率半径が小さな部分やヒップ13の盛り上がり部分に倣うゆとり(空間)がプリーツ３になく、脇面に並ぶプリーツ３の表ヒダが開いて山折部分が半径方向に向いてしまい、立ち並んでしまっていたのである。
【０００５】
上述のプリーツが立つという問題は、スカートの種類やプリーツの種類又は形状に関係なく、起こりうる。例えば、上記例に挙げたアコーディオンプリーツのスカート(図７参照)だけでなく、ボックスプリーツのスカートにおいて脇面に複数のプリーツが並んだものや、ナイフプリーツのスカートにおいても起こりうるのである。そこで、脇面のプリーツが、ウエストの腰骨に当たる部分やヒップの盛り上がり部分で立ち並ぶことなく、各プリーツがそれぞれウエスト−ヒップ・ラインに沿い、着用時の見映えがよくなるプリーツスカートについて検討し、併せてそのプリーツスカートを作るため、裁断した布地にプリーツを形成する型紙についても考えることにした。
【０００６】
【課題を解決するための手段】
その結果、開発したものが、布地にプリーツを形成するプリーツスカートにおいて、着用者に対して前後面に当たるプリーツの表ヒダの幅よりも脇面に当たるプリーツの表ヒダの幅を広くし、ウエストにおいて各プリーツを均等縫いしたプリーツスカートである。以後、前後面に当たる相対的に幅の狭いプリーツを標準プリーツと呼び、脇面に当たる相対的に幅の広いプリーツを広幅プリーツと呼ぶことにする。本発明は、スカートの種類やプリーツの種類又は形状に関係なく適用できる。広幅プリーツは、標準プリーツに対してかげヒダは等幅とし、表ヒダを大きくすることで幅を広くするのがよく、脇身のプリーツ、又は前身及び後身の脇面に当たる複数のプリーツをこの広幅プリーツとする。
【０００７】
本発明のプリーツスカートでは、ウエストが略真円形状であるとの仮定のもとに、ヒップ寸法を標準プリーツの表ヒダの数で均等割りにて算出した標準プリーツと、この標準プリーツに対して数mm〜十数mm程度幅を広くした広幅プリーツとを、従来同様、ヒップ寸法とウエスト寸法との差分だけ絞り込んだ状態でウエストにて均等縫いすることにより、脇面に当たる広幅プリーツのウエスト−ヒップ・ラインに、ウエストにおける腰骨やヒップの盛り上がりに沿うことができるゆとり(空間)を形成する。つまり、ウエストにおいて、従来は等幅のプリーツをすべて同幅に折り込んで縫製していたのに対し、本発明では標準プリーツに合わせて広幅プリーツを幅の広い分だけより多く折り込むことにより、この折り込みの差分がわずかな歪みとなって広幅プリーツのウエスト−ヒップ・ラインを３次元的に膨らませ、前記ゆとり(空間)を形成するのである。
【０００８】
広幅プリーツのウエスト−ヒップ・ラインは、上記のようにして形成されたゆとり(空間)が、ウエストにおける腰骨やヒップの盛り上がりを包み込むように沿うことができるので、従来のようにプリーツが立つと言うような見栄えの悪さを生じさせない。ゆとり(空間)を形成する広幅プリーツと標準プリーツとの幅の差は、数mm〜十数mmであり、ウエストにおいては均等縫いするので、外観的にはほとんどわからず、着用者も違和感を感じない。また、広幅プリーツを前記幅の差だけ余分に折り込むことで形成したゆとり(空間)は、一定の緊張を持っているので、通常脇面に設けられるファスナー、ポケット、縫代を原因として広幅プリーツが立つことをも防止できる。
【０００９】
本発明のプリーツスカートは、着用者に対して前後面に当たる布地の型紙におけるプリーツの表ヒダの幅よりも脇面に当たる布地の型紙におけるプリーツの表ヒダの幅を広くしたプリーツスカート型紙により、前身、後身又は脇身等、プリーツスカートを構成する２枚以上の布地にプリーツを形成し、それぞれを縫製する。本発明は、プリーツの数を少なくして広幅プリーツを幅広くするほど、ウエストにおいて各プリーツを均等縫いして形成されるゆとり(空間)が大きくなるので好ましいが、３次元的な膨らみがいびつになる虞があり、またプリーツの数を多くして広幅のプリーツの表ヒダの幅が狭くなれば十分なゆとり(空間)が形成されにくくなる。このため、現在主流の16車プリーツスカートを標準として、このほか12車、14車、18車や20車のプリーツを設けたプリーツスカートに最も効果的に適用できる。
【００１０】
例えば、前身及び後身の２枚の布地から構成するプリーツスカートでは、各布地をそれぞれの型紙へ個別に挟持した状態で永久プリーツ加工する。この型紙により形成された前身及び後身は、互いの両側部を着用者の脇面に当たるように縫製するため、前身又は後身の各型紙は、両側部に広幅プリーツを形成する型を設けることになる。なお、標準プリーツと広幅プリーツとの幅の差はわずかなもの(数mm〜十数mm程度)で十分であり、ウエストにおける縫製は従来同様均等縫いするため、完成した本発明のプリーツスカートは、従来のプリーツスカートと外見上差異は認められない。
【００１１】
【発明の実施の形態】
以下、本発明のプリーツスカートの実施形態について、図を参照しながら説明する。図１は本発明のプリーツスカートを表した斜視図で、図２は同プリーツスカート用の型紙１を開いた状態の斜視図、図３はこの型紙で広幅プリーツ２と標準プリーツ３(共にアコーディオンプリーツ、追いヒダ)とを成形した前身又は後身となる布地４の斜視図である。プリーツは「車ヒダ」とも呼ばれ、「車」を単位として数える。図１に見られる例は16車のプリーツスカートであり、前身及び後身には、広幅プリーツ２を２車、標準プリーツ３を３車、そして広幅プリーツ２を２車の順で計８車設けている。このように、本例における広幅プリーツ２の数は左右両わき部を合計して８車であるが、その数は任意でよく、必要に応じて増減しても構わない。
【００１２】
このプリーツスカートは、図１に見られるように、ヒップが100に対してウエストを60の割合で絞り込み、均等縫いすることで真円に近いウエストを形成している。脇面の広幅プリーツ２は、標準プリーツ３に比べて数mm〜十数mm程度幅が広いだけで、前述のようにウエストにおいては均等縫いされるので、縫製されたプリーツスカートの外観は従来のプリーツスカートと変わらない。実際には、ウエスト長、ヒップ長は従来と同じにしなければならないから、広幅プリーツ２に対して、標準プリーツ３の幅を相対的に若干狭くする必要がある。なお、図１では各プリーツの表ヒダの幅の差が分かるように、広幅プリーツ２の幅を強調している。
【００１３】
型紙１は、図２に見られるように、両側縁に縫代５を設け、直線かつ等幅のかげヒダ６(図２中ハッチング部分)と表ヒダ７とを交互に折りたためる形状をしている。この型紙１に挾み、折りたたんで永久プリーツ加工した布地４(図３参照)は、２枚一組として、一方を前身、もう一方を後身としてプリーツスカートを構成する。型紙１の中間部はプリーツスカートの前後面に対応するために標準プリーツ３の型を、両側部は前身と後身とを縫着する脇面に当たるために広幅プリーツ２の型を配している。なお、図２においては、各プリーツの表ヒダの幅の差が分かるように、広幅プリーツに当たる型の幅を強調している。
【００１４】
本発明のプリーツスカートにおいては、広幅プリーツ２の幅を広くする方法として、プリーツ全体を(すなわち、かげヒダと表ヒダとを共に)幅広くする、かげヒダのみを広くするなどが考えられるが、本例では、図２及び図３に見られるように、広幅プリーツ２のかげヒダ６を標準プリーツ３のかげヒダと等幅とし、広幅プリーツ２の表ヒダ７のみを標準プリーツ３のそれと比べて相対的に幅広くする方法がよい。これは、かげヒダの幅を複数種類設けると、プリーツスカートの型崩れを招く虞があるからである。こうして設けられた広幅プリーツ２は、図１に見られるように、脇面、例えばウエストの腰骨部分やヒップの盛り上がりに、広幅プリーツ２のウエスト−ヒップ・ラインに形成されるゆとり(空間)が三次元的に沿うことで、見映えのよいプリーツスカートを構成するのである。
【００１５】
図４は、表ヒダ８を裾広幅、かげヒダ９をその逆として台形状のプリーツを形成する型紙10を表した斜視図である。この型紙10は、全体として長方形に収まるように寸法を決定している。近年、ウエスト寸法とヒップ寸法との差を考慮し、台形のプリーツを形成できるようにした型紙が普及し始めている。本発明のプリーツスカートは、図４に見られるような型紙10からも作ることができる。また、プリーツの数は少ない方が好ましいが、現在普及している12〜20車(偶数のみ)程度のプリーツを有するプリーツスカートにおいては、いずれにおいてもプリーツが立つのを防止するという十分な効果がある。
【００１６】
図５は16車のナイフプリーツからなるプリーツスカートの斜視図であり、図６は同プリーツスカートを構成する布地14をプリーツ加工するための型紙15を開いた状態の斜視図である。本発明のプリーツスカートは、様々なプリーツに対して適用があり、本例はその一例である。図１に見られるアコーディオンプリーツのプリーツスカート同様、着用者の脇面に当たる４車が広幅プリーツ２に当たる。また、型紙15からは前身又は後身用の布地14が形成される。前身と後身とは折り目が逆の補完関係にあり、プリーツ形成時の折り目の山谷を逆にすることで、形成される布地14が前身又は後身になるのである。このように、本発明におけるプリーツスカートにおいても、十分に生産性を考慮して型紙を作ることができる。
【００１７】
【発明の効果】
本発明のプリーツスカート及びその型紙は、従来の大量生産の目的とした生産性を損なわず、着用時に見映えがよくなるプリーツスカートの提供を実現する。特にプリーツを立たせないと言う効果は、スカートの種類、プリーツの種類又は形状を問わずに発揮できる。しかも、特別な縫製や材料を必要とせず、作業手順も従来のままで済み、コスト的にもほとんど増加の伴わないため、見映えも付加価値の一つである衣服においては、費用対効果が非常に高いのである。
【図面の簡単な説明】
【図１】アコーディオンプリーツにおける本発明のプリーツスカートの斜視図である。
【図２】アコーディオンプリーツにおける本発明の型紙の斜視図である。
【図３】型紙でプリーツを形成された布地の斜視図である。
【図４】裾広幅なプリーツを形成する型紙の斜視図である。
【図５】ナイフプリーツにおける本発明のプリーツスカートの斜視図である。
【図６】ナイフプリーツにおける本発明の型紙の斜視図である。
【図７】従来のプリーツスカートの斜視図である。
【図８】着用者のウエスト及びヒップにおける断面形状を表した図である。
【符号の説明】
１  型紙
２  広幅プリーツ
３  標準プリーツ
【図１】
0003795131.tif 000002
【図２】
0003795131.tif 000003
【図３】
0003795131.tif 000004
【図４】
0003795131.tif 000005
【図５】
0003795131.tif 000006
【図６】
0003795131.tif 000007
【図７】
0003795131.tif 000008
【図８】
0003795131.tif 000009